(57)【要約】【課題】ペットに付着した蚤及びダニを簡単に、しかも、衛生的に除去できるペット用の蚤及びダニ取り器を提供する。【解決手段】電気掃除機１１に又は電気掃除機１１にフレキシブルホース１２を介して着脱可能に取付けられる接続部１３を備え、底部には開口部１４が形成された蚤及びダニ取り器本体１５と、開口部１４から突出して設けられたブラシ部材もしくは櫛部材１６を有する毛梳手段とを有し、蚤及びダニ取り器本体１５は、開口部１４から接続部１３の上流側に形成される吸込口２０にかけて徐々に気流の通過断面積が減少し、しかも、毛梳手段は開口部１４の周囲に形成されている。【選択図】図１
0003117521.tif 000002
【実用新案登録請求の範囲】
【請求項１】
電気掃除機に又は電気掃除機にフレキシブルホースを介して着脱可能に取付けられる接続部が設けられ、底部には開口部が形成された蚤及びダニ取り器本体と、前記開口部から突出して設けられたブラシ部材又は櫛部材を有する毛梳手段とを備える蚤及びダニ取り器において、
前記蚤及びダニ取り器本体は、前記開口部から前記接続部の上流側に形成される吸込口にかけて徐々に気流の通過断面積が減少し、しかも、前記毛梳手段は前記開口部の周囲に設けられていることを特徴とするペット用の蚤及びダニ取り器。
【請求項２】
請求項１記載のペット用の蚤及びダニ取り器において、前記毛梳手段の突出長さは、５〜３０ｍｍであることを特徴とするペット用の蚤及びダニ取り器。
【請求項３】
請求項１及び２のいずれか１項に記載のペット用の蚤及びダニ取り器において、前記開口部が形成された毛梳手段は、前記蚤及びダニ取り器本体に着脱可能に取付けられて、前記毛梳手段が交換可能となっていることを特徴とするペット用の蚤及びダニ取り器。
【請求項４】
請求項１〜３のいずれか１項に記載のペット用の蚤及びダニ取り器において、前記開口部の面積は前記接続部に設けられた接続口の断面積の９〜５０倍の範囲にあることを特徴とするペット用の蚤及びダニ取り器。
【請求項５】
請求項１〜４のいずれか１項に記載のペット用の蚤及びダニ取り器において、前記接続部を除く蚤及びダニ取り器本体を平面視した場合の最大幅は１０〜１５ｃｍの範囲にあることを特徴とするペット用の蚤及びダニ取り器。
【請求項６】
請求項１〜５のいずれか１項に記載のペット用の蚤及びダニ取り器において、前記接続部がワンタッチカプラとなっていることを特徴とするペット用の蚤及びダニ取り器。
【請求項７】
請求項１〜６のいずれか１項に記載のペット用の蚤及びダニ取り器において、前記ブラシ部材は、所定間隔で配置された複数の単位ブラシ群からなって、該単位ブラシ群は５〜１５本のブラシ線からなり、該ブラシ線の太さは０．４〜１．５ｍｍであることを特徴とするペット用の蚤及びダニ取り器。
【考案の詳細な説明】
【技術分野】
【０００１】
本考案は、電気掃除機に接続して使用し、蚤、ダニ、抜け毛を取ることが可能なペット用の蚤及びダニ取り器に関する。
【背景技術】
【０００２】
従来、犬や猫等のペット（愛玩動物）の蚤及びダニ取りは、ブラシや櫛で毛を梳いて蚤及びダニを掻き出して、捕獲した蚤及びダニをピンセット等で挟んで潰したり（例えば、特許文献１参照）、微弱な電流が流れる櫛でペットの毛を梳かすと共に、蚤及びダニを感電死させて（例えば、特許文献２参照）行っている。
【０００３】
【特許文献１】特開２０００−３１６４０６号公報
【特許文献２】特開平９−９８４７号公報
【考案の開示】
【考案が解決しようとする課題】
【０００４】
しかしながら、特許文献１の発明では、蚤及びダニをピンセットで挟んで潰さなければならず、面倒であるという問題があった。また、特許文献２の発明では、感電死した蚤及びダニを探し出して除去しなければならないという問題があった。また、特許文献１及び２の発明では、蚤及びダニに触れることがあるので不衛生であるという問題もあった。
【０００５】
本考案はかかる事情に鑑みてなされたもので、ペットに付着した蚤及びダニを簡単に、しかも、衛生的に除去できるペット用の蚤及びダニ取り器を提供することを目的とする。
【課題を解決するための手段】
【０００６】
前記目的に沿う本考案に係るペット用の蚤及びダニ取り器は、電気掃除機に又は電気掃除機にフレキシブルホースを介して着脱可能に取付けられる接続部が設けられ、底部には開口部が形成された蚤及びダニ取り器本体と、前記開口部から突出して設けられたブラシ部材又は櫛部材を有する毛梳手段とを備える蚤及びダニ取り器において、
前記蚤及びダニ取り器本体は、前記開口部から前記接続部の上流側に形成される吸込口にかけて徐々に気流の通過断面積が減少し、しかも、前記毛梳手段は前記開口部の周囲に設けられている。
【０００７】
本考案の蚤及びダニ取り器は、毛梳手段によってペットに付着する蚤及びダニを掻き出し、更に、蚤及びダニ取り器本体の開口部から吸込口を介して電気掃除機に吸引して除去する。また、蚤及びダニの他に、シラミ、南京虫、及び抜け毛も除去することができる。ここで、ブラシ部材としては、諸種の獣毛、植物繊維、鯨鬚、合成樹脂、及び金属等のいずれか１又は２以上で形成した複数の毛（ブラシ線）を束ねたものを所定間隔で配置したものが使用できる。また、櫛部材としては、合成樹脂、又は金属等で形成した棒状部を所定間隔で配置したものが使用できる。棒状部の先端は、ペットの皮膚を傷つけないように、球状の頭部を形成するか、丸みを帯びた形状に形成するのが好ましい。
【０００８】
本考案に係るペット用の蚤及びダニ取り器において、前記毛梳手段の突出長さは、５〜３０ｍｍであるのが好ましい。
本考案に係るペット用の蚤及びダニ取り器において、前記開口部が形成された毛梳手段は、前記蚤及びダニ取り器本体に着脱可能に取付けられて、前記毛梳手段が交換可能となってもよい。
本考案に係るペット用の蚤及びダニ取り器において、前記開口部の面積は前記接続部に設けられた接続口の断面積の９〜５０倍の範囲にあるのが好ましい。
【０００９】
本考案に係るペット用の蚤及びダニ取り器において、前記接続部を除く蚤及びダニ取り器本体を平面視した場合の最大幅は１０〜１５ｃｍの範囲にあるのが好ましい。
本考案に係るペット用の蚤及びダニ取り器において、前記接続部がワンタッチカプラとなってもよい。
本考案に係るペット用の蚤及びダニ取り器において、前記ブラシ部材は、所定間隔で配置された複数の単位ブラシ群からなって、該単位ブラシ群は５〜１５本のブラシ線からなって、該ブラシ線の太さは０．４〜１．５ｍｍであってもよい。
【考案の効果】
【００１０】
請求項１〜７に記載のペット用の蚤及びダニ取り器においては、蚤及びダニ取り器本体の開口部から接続部の上流側に形成される吸込口にかけて気流の通過断面積が徐々に減少しているので、ペットの皮膚に毛梳手段を押し当てた場合、毛梳手段を通過する風速が開口部に対する吸引力をできるだけ減少させない状態で、まんべんなく吸引することができる。また、開口部から吸込口にかけて、吸引力が徐々に増し、しかも、開口部に引き込まれた蚤及びダニが途中で引っかかることなくスムーズに吸込口に吸引することができる。更に、毛梳手段が開口部の周囲に形成されているので、掻き出された蚤及びダニが毛梳手段の中央側に集められ、効率的に除去できる。また、蚤及びダニの他に、シラミ、南京虫、及び抜け毛も除去することができる。
【００１１】
特に、請求項２記載のペット用の蚤及びダニ取り器においては、毛梳手段の突出長さが５〜３０ｍｍであるので、通常のペットであれば毛を梳き易い。
請求項３記載のペット用の蚤及びダニ取り器においては、開口部が形成された毛梳手段は、蚤及びダニ取り器本体に着脱可能に取付けられて、毛梳手段が交換可能となっているので、ペットに合わせて毛梳手段を換えることができる。
請求項４記載のペット用の蚤及びダニ取り器においては、開口部の面積が、接続部に設けられた接続口の断面積の９〜５０倍の範囲にあるので、より効率的な吸引力を得ることができる。
【００１２】
請求項５記載のペット用の蚤及びダニ取り器においては、接続部を除く蚤及びダニ取り器本体を平面視した場合の最大幅は１０〜１５ｃｍの範囲にあるので、蚤及びダニ取り器を手で持って作業し易い。
請求項６記載のペット用の蚤及びダニ取り器においては、接続部がワンタッチカプラとなっているので、蚤及びダニ取り器の電機掃除機又はフレキシブルホースへの接続が容易である。
請求項７記載のペット用の蚤及びダニ取り器においては、ブラシ部材が、所定間隔で配置された複数の単位ブラシ群からなって、単位ブラシ群が５〜１５本のブラシ線からなり、ブラシ線の太さが０．４〜１．５ｍｍであるので、通常のペットであれば、ペットに付着した蚤及びダニを容易に掻き出すことができる。
【考案を実施するための最良の形態】
【００１３】
続いて、添付した図面を参照しつつ、本考案を具体化した実施の形態につき説明し、本考案の理解に供する。
ここで、図１は本考案の第１の実施の形態に係るペット用の蚤及びダニ取り器の説明図、図２は同ペット用の蚤及びダニ取り器の使用状態を示す説明図、図３は同ペット用の蚤及びダニ取り器の変形例の説明図、図４は本考案の第２の実施の形態に係るペット用の蚤及びダニ取り器の断面図である。
【００１４】
図１及び図２を参照して、本考案の第１の実施の形態に係るペット用の蚤及びダニ取り器１０について説明する。
図１、図２に示すように、ペット用の蚤及びダニ取り器（以下、単に「蚤及びダニ取り器」ともいう）１０は、電気掃除機１１に直接又は電気掃除機１１にフレキシブルホース１２を介して着脱可能に取付けられる接続部１３が設けられ、底部に開口部１４が形成された蚤及びダニ取り器本体１５と、開口部１４から突出して設けられた櫛部材１６を有する毛梳手段とを備えている。
【００１５】
蚤及びダニ取り器本体１５は、接続部１３を除いた部分が平面視して最大幅（直径）が１０〜１５ｃｍ、例えば１０ｃｍの半球状となっている。蚤及びダニ取り器本体１１の半球状部の側面には、フレキシブルホース１２の先部と接続されるパイプ状の接続部１３が突出して設けられている。接続部１２の下流側端部に設けられた接続口１８の内径は２ｃｍとなっている。また、接続部１３は、先部（接続口１８側）に、基部から先端部に向かって外径が、例えば、３８ｍｍから３２ｍｍに徐々に減少するシリコンゴム等で形成された固定部材１９が取付けられている。これによって、内径が、例えば、３６ｍｍのフレキシブルホース１２の先端部内に固定部材１９を填め込んで、蚤及びダニ取り器１０をフレキシブルホース１２に固定することができる。
【００１６】
また、蚤及びダニ取り器本体１５の底部には、断面が直径６〜９ｃｍ、例えば、８ｃｍの円形の開口部１４が設けられ、蚤及びダニ取り器本体１５内には、開口部１４から接続部１３の上流側に形成される吸込口２０にかけて徐々に気流の通過断面積が減少するテーパ状の凹部２１が形成されている。凹部２１を平面視して、その中心に位置する直径２ｃｍの吸込口２０は、吸気通路２２を介して接続口１８に連通している。接続口１８から吸込口２０まで形成される吸気通路２２は、断面が直径２ｃｍの円形で、かつ、略９０度に屈曲している（図４参照）。開口部１４の面積は、接続口１８の断面積の９〜５０倍の範囲（この実施の形態では１６倍）にあり、これにより電気掃除機１１への吸引力が増大するようになっている。
【００１７】
また、開口部１４の周囲には、合成樹脂で形成された棒状部２３と、棒状部２３の先部に一体的に設けられた球状部２４とで形成される梳歯２５が所定間隔、例えば、開口部１４の中心から半径４．５ｃｍの円周上に等間隔（例えば、５〜１５ｍｍ、ここでは９ｍｍ程度の間隔）で３２本配置された櫛部材１６が設けられている。櫛部材１６の突出長さは、５〜３０ｍｍ、例えば、２０ｍｍに形成されている。なお、櫛部材１６は、合成樹脂で形成したが、金属で形成してもよく、球状部を設けなくてもよいが、その先端は丸みを形成するのが好ましい。また、毛梳手段は、諸種の獣毛、植物繊維、鯨鬚、合成樹脂、及び金属等のいずれか１又は２以上で形成した複数の毛を束ねたものを所定間隔で配置したブラシ部材であってもよい。
【００１８】
次に、ペット用の蚤及びダニ取り器１０の使用方法について説明する。
図２に示すように、電気掃除機１１は、電気掃除機１１のホース接続口（図示せず）に、先部にグリップハンドル２６を備えた蛇腹ホース２７、グリップハンドル２６の先部に取付けられる延長管２８、及び延長管２８に取付けられるフレキシブルホース１２が順に接続され、更に、フレキシブルホース１２の先端部に蚤及びダニ取り器１０の接続部１３の固定部材１９が挿入されて固定されている。ここで、蛇腹ホース２７及び延長管２８は、電気掃除機１１の付属品を使用した。また、フレキシブルホース１２の長さは、３０ｃｍ〜４ｍ程度、例えば、１ｍである。
【００１９】
電気掃除機１１の電源を入れ、蚤及びダニ取り器１０を手で持って、ペットの毛を櫛部材１６で梳き、掻き出された蚤及びダニを開口部１４、吸込口２０、吸気通路２２、接続口１８、フレキシブルホース１２、延長管２８、グリップハンドル２６、及び蛇腹ホース２７を介して、電気掃除機１１で吸い込む。これによって、蚤及びダニを触ることなく除去でき衛生的である。また、死んだ蚤及びダニも簡単に除去することができる。更に、蚤及びダニ取り器１０は、シラミ、南京虫、及び抜け毛も除去することができる。なお、蚤及びダニ取り器１０は、フレキシブルホース１２の先端に取付けたが、使用状態に合わせて、延長管２８、グリップハンドル２６、及び電気掃除機１１のホース接続口のいずれかに接続することができる。また、通常のペットは、電気掃除機１１の音を嫌うので、電気掃除機１１をペットから遠ざけるために、延長管及びフレキシブルホースのいずれか一方又は双方を複数接続してもよい。
【００２０】
図３を参照して、ペット用の蚤及びダニ取り器の変形例について説明する。なお、ペット用の蚤及びダニ取り器１０と同一の構成要素については同一の番号を付してその詳しい説明を省略する。
ペット用の蚤及びダニ取り器３０は、接続部３１が蚤及びダニ取り器本体３２の半球状部の頂部に設けられ、開口部１４及び吸込口２０と接続部３１の下流側端部に設けられる接続口３３とが直線状に配置されて、吸込口２０と接続口３３を連通する吸気通路３４が直管となっている点が、蚤及びダニ取り器１０と異なっている。
【００２１】
図４を参照して、本考案の第２の実施の形態に係るペット用の蚤及びダニ取り器４０について説明する。なお、ペット用の蚤及びダニ取り器１０、３０と同一の構成要素については同一の番号を付してその詳しい説明を省略する。
蚤及びダニ取り器４０は、開口部４１が形成され、開口部４１の周囲に櫛部材１６を有する毛梳手段４２が、蚤及びダニ取り器本体４３に、例えば、ネジ機構４４によって着脱可能となっている点が、蚤及びダニ取り器１０、３０と異なっている。
【００２２】
蚤及びダニ取り器４０は、毛梳手段４２の代わりに、開口部４５が形成され、開口部４５の周囲にブラシ部材４６を有する毛梳手段４７を、ネジ機構４８によって蚤及びダニ取り器本体４３に取付けることもできる。ここで、ブラシ部材４６は、所定間隔、例えば、開口部４５の中心から半径４．５ｃｍの円周上に等間隔で配置された複数、例えば、３２個の単位ブラシ群５０からなって、単位ブラシ群５０は、５〜１５本、例えば、５本のブラシ線４９からなっている。ブラシ線４９は、太さが０．４〜１．５ｍｍ、例えば、０．５ｍｍのポリプロピレン樹脂又はポリカーボネート樹脂等の弾性力を有した合成樹脂で形成され、その突出長さが、５〜３０ｍｍ、例えば、２０ｍｍとなっている。
【００２３】
これによって、蚤及びダニ取り器本体４３に、ペットに合わせて、突出長さが５〜３０ｍｍの櫛部材１６を有する毛梳手段４２又はブラシ部材４６を有する毛梳手段４７を取付けて使用することができる。また、ブラシ線は、弾性力を備える材料、例えば、諸種の獣毛、植物繊維、鯨鬚、合成樹脂、及び金属等のいずれか１又は２以上で形成してもよい。
【００２４】
本考案は、前記した実施の形態に限定されるものではなく、本考案の要旨を変更しない範囲での変更は可能であり、例えば、前記したそれぞれの実施の形態や変形例の一部又は全部を組み合わせて本考案のペット用の蚤及びダニ取り器を構成する場合も本考案の権利範囲に含まれる。
例えば、前記実施の形態のペット用の蚤及びダニ取り器において、接続部を除く蚤及びダニ取り器本体の平面視した形状を円形としたが、楕円形、三角形、四角形（正方形を含む矩形であってもよい）、五角形以上の多角形としてもよい。
【００２５】
また、前記した実施の形態のペット用の蚤及びダニ取り器では、蚤及びダニ取り器本体と開口部が形成された毛梳手段とをネジ機構で着脱可能としたが、複数の爪部を咬み合わせて固定するバヨネット式や、スプリングの力で固定するスプリング式等のワンタッチ接続部を形成して、蚤及びダニ取り器本体と毛梳手段を着脱可能に取付けてもよい。
蚤及びダニ取り器は、蚤及びダニ取り器本体の接続部に固定部材を取付け、固定部材をフレキシブルホースに挿入して固定したが、接続部がワンタッチカプラとなったものでもよく、この場合には、ワンタッチカプラを回転可能に形成すると作業し易くなるので好ましい。
【００２６】
更に、前記実施の形態では、開口部から吸込口にがけて徐々に気流の通過断面積が減少するように形成し、吸込口から接続口までを断面積が同じである管状としたが、吸込口の上流側を断面積が徐々に減少する細まり流れとなったコンバージェントノズル形状とし、吸込口の下流側を断面積が徐々に拡大する拡がり流れとなったダイバージェントノズル形状とすることもできる。これによって、圧力損失を少なくして吸引力をより増大させることができる。
【図面の簡単な説明】
【００２７】
【図１】本考案の第１の実施の形態に係るペット用の蚤及びダニ取り器の説明図である。
【図２】同ペット用の蚤及びダニ取り器の使用状態を示す説明図である。
【図３】同ペット用の蚤及びダニ取り器の変形例の説明図である。
【図４】本考案の第２の実施の形態に係るペット用の蚤及びダニ取り器の断面図である。
【符号の説明】
【００２８】
１０：ペット用の蚤及びダニ取り器、１１：電気掃除機、１２：フレキシブルホース、１３：接続部、１４：開口部、１５：蚤及びダニ取り器本体、１６：櫛部材、１８：接続口、１９：固定部材、２０：吸込口、２１：凹部、２２：吸気通路、２３：棒状部、２４：球状部、２５：梳歯、２６：グリップハンドル、２７：蛇腹ホース、２８：延長管、３０：ペット用の蚤及びダニ取り器、３１：接続部、３２：蚤及びダニ取り器本体、３３：接続口、３４：吸気通路、４０：ペット用の蚤及びダニ取り器、４１：開口部、４２：毛梳手段、４３：蚤及びダニ取り器本体、４４：ネジ機構、４５：開口部、４６：ブラシ部材、４７：毛梳手段、４８：ネジ機構、４９：ブラシ線、５０：単位ブラシ群
【図１】
0003117521.tif 000003
【図２】
0003117521.tif 000004
【図３】
0003117521.tif 000005
【図４】
0003117521.tif 000006